【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
本体駆動手段と、記録媒体に現像像を転写するための転写ローラと、前記転写ローラに駆動するための転写ローラプーリと、前記転写ローラプーリと係合して前記転写ローラを駆動させる駆動伝達ベルトと、を有し、前記記録媒体に画像を形成する電子写真画像形成装置本体に取り外し可能に装着されるプロセスカートリッジにおいて、
電子写真感光体と、
前記電子写真感光体に形成された潜像を現像剤によって現像する現像手段と、
前記本体駆動手段と連結して前記電子写真感光体に駆動力を伝達する駆動受け部と、
前記駆動受け部から前記電子写真感光体が受けた前記駆動力を、前記転写ローラに伝達する為の感光体プーリであって、前記プロセスカートリッジが前記装置本体に装着した際に、前記駆動伝達ベルトと係合して前記転写ローラプーリと前記駆動伝達ベルトとの巻き付き角度を増加させる感光体プーリと、
を有することを特徴とするプロセスカートリッジ。
【請求項２】
更に、前記プロセスカートリッジは、
前記プロセスカートリッジが前記装置本体に装着した際に、前記装置本体に移動可能に設けられた可動アームであって、前記駆動伝達ベルトと係合する可動プーリを支持する可動アームと当接して、前記可動プーリの移動を規制する規制部を有することを特徴とする請求項１に記載のプロセスカートリッジ。
【請求項３】
前記プロセスカートリッジが前記装置本体に装着した際に、前記感光体プーリは、前記巻き付き角度の二等分線と直交する線であって、前記転写ローラプーリの回転中心を通る線上に位置することを特徴とする請求項１または請求項２に記載のプロセスカートリッジ。
【請求項４】
前記規制部は、前記感光体プーリを支持する部材と一体であることを特徴とする請求項２に記載のプロセスカートリッジ。
【請求項５】
前記規制部は、前記装置本体に前記プロセスカートリッジを装着した際の位置決め部を兼ねることを特徴とする請求項２に記載のプロセスカートリッジ。
【請求項６】
前記規制部は、前記感光体プーリと一体であることを特徴とする請求項２に記載のプロセスカートリッジ。
【請求項７】
前記規制部は、前記感光体プーリと共に回動可能な部材であることを特徴とする請求項２に記載のプロセスカートリッジ。
【請求項８】
前記感光体プーリは、前記電子写真感光体と同軸上にあることを特徴とする請求項１から請求項７の何れかに記載のプロセスカートリッジ。
【請求項９】
前記感光体プーリは前記駆動伝達ベルトと噛み合う歯付きプーリであることを特徴とする請求項１から請求項８の何れかに記載のプロセスカートリッジ。
【請求項１０】
前記感光体プーリは、該感光体プーリの回転中心が、前記線上に位置するように配置されることを特徴とする請求項３に記載のプロセスカートリッジ。
【請求項１１】
プロセスカートリッジを取り外し可能に装着し、記録媒体に画像を形成する電子写真画像形成装置において、
本体駆動手段と、
前記記録媒体に現像像を転写するための転写ローラと、
前記転写ローラに駆動するための転写ローラプーリと、
前記転写ローラプーリと係合して前記転写ローラを駆動させる駆動伝達ベルトと、
電子写真感光体と、前記電子写真感光体に形成された潜像を現像剤によって現像する現像手段と、前記本体駆動手段と連結して前記電子写真感光体に駆動力を伝達する駆動受け部と、前記駆動受け部から前記電子写真感光体が受けた前記駆動力を、前記転写ローラに伝達する為の感光体プーリであって、前記プロセスカートリッジが前記電子写真画像形成装置の装置本体に装着した際に、前記駆動伝達ベルトと係合して前記転写ローラプーリと前記駆動伝達ベルトとの巻き付き角度を増加させる感光体プーリと、を有するプロセスカートリッジを取り外し可能に装着する装着手段と、
前記記録媒体を搬送する搬送手段と、
を有することを特徴とする電子写真画像形成装置。
【請求項１２】
更に、前記電子写真画像形成装置は、
前記装置本体に移動可能に設けられた可動アームであって、前記駆動伝達ベルトと係合する可動プーリを支持する可動アームを有し、
前記可動アームは、前記プロセスカートリッジが前記装置本体に装着した際に、前記プロセスカートリッジに設けられた規制部と当接して、前記可動プーリの移動を規制されることを特徴とする請求項１１に記載の電子写真画像形成装置。
【請求項１３】
更に、前記電子写真画像形成装置は、
前記プロセスカートリッジが前記装置本体に装着した際に、前記プロセスカートリッジを位置決めする本体位置決め部を有し、
前記本体位置決め部は、前記巻き付き角度の二等分線と直交する線であって、前記転写ローラプーリの回転中心を通る線上に前記感光体プーリが位置するように設けられたことを特徴とする請求項１１または請求項１２に記載の電子写真画像形成装置。
【請求項１４】
更に、前記電子写真画像形成装置は、
前記プロセスカートリッジが前記装置本体に装着されていない時に、前記可動アームを、前記転写ローラプーリから離間する方向に付勢し、前記プロセスカートリッジが前記画像形成装置本体に装着される時に、前記可動アームを前記規制部と当接する方向に付勢する付勢部材を有することを特徴とする請求項１２または請求項１３に記載の電子写真画像形成装置。
【請求項１５】
前記駆動伝達ベルトは両面歯付きベルトであることを特徴とする請求項１１から請求項１３の何れかに記載の電子写真画像形成装置。
【請求項１６】
更に、前記電子写真画像形成装置は、
前記駆動伝達ベルトにテンションを与えるテンションプーリを有することを特徴とする請求項１１から請求項１３の何れかに記載の電子写真画像形成装置。
【手続補正２】
【補正対象書類名】明細書
【補正対象項目名】００１０
【補正方法】変更
【補正の内容】
【００１０】
本発明に係る代表的なプロセスカートリッジの構成は、
本体駆動手段と、記録媒体に現像像を転写するための転写ローラと、前記転写ローラに駆動するための転写ローラプーリと、前記転写ローラプーリと係合して前記転写ローラを駆動させる駆動伝達ベルトと、を有し、前記記録媒体に画像を形成する電子写真画像形成装置本体に取り外し可能に装着されるプロセスカートリッジにおいて、
電子写真感光体と、
前記電子写真感光体に形成された潜像を現像剤によって現像する現像手段と、
前記本体駆動手段と連結して前記電子写真感光体に駆動力を伝達する駆動受け部と、
前記駆動受け部から前記電子写真感光体が受けた前記駆動力を、前記転写ローラに伝達する為の感光体プーリであって、前記プロセスカートリッジが前記装置本体に装着した際に、前記駆動伝達ベルトと係合して前記転写ローラプーリと前記駆動伝達ベルトとの巻き付き角度を増加させる感光体プーリと、
を有することを特徴とする。
【手続補正３】
【補正対象書類名】明細書
【補正対象項目名】００１１
【補正方法】変更
【補正の内容】
【００１１】
また、本発明に係る代表的な電子写真画像形成装置の構成は、
プロセスカートリッジを取り外し可能に装着し、記録媒体に画像を形成する電子写真画像形成装置において、
本体駆動手段と、
前記記録媒体に現像像を転写するための転写ローラと、
前記転写ローラに駆動するための転写ローラプーリと、
前記転写ローラプーリと係合して前記転写ローラを駆動させる駆動伝達ベルトと、
電子写真感光体と、前記電子写真感光体に形成された潜像を現像剤によって現像する現像手段と、前記本体駆動手段と連結して前記電子写真感光体に駆動力を伝達する駆動受け部と、前記駆動受け部から前記電子写真感光体が受けた前記駆動力を、前記転写ローラに伝達する為の感光体プーリであって、前記プロセスカートリッジが前記電子写真画像形成装置の装置本体に装着した際に、前記駆動伝達ベルトと係合して前記転写ローラプーリと前記駆動伝達ベルトとの巻き付き角度を増加させる感光体プーリと、を有するプロセスカートリッジを取り外し可能に装着する装着手段と、
前記記録媒体を搬送する搬送手段と、
を有することを特徴とする。
【手続補正４】
【補正対象書類名】明細書
【補正対象項目名】００２６
【補正方法】変更
【補正の内容】
【００２６】
[感光体ユニット]
図９に感光体ドラム７のドラム枠体１８への取付け構造の分解斜視図を示す。感光体ドラム７の一端部にはギアフランジ７ａが、他端部には感光体プーリとしてのドラムプーリ７ｂがそれぞれ取り付けられる。ギアフランジ７ａはドラム軸受け２４に回転可能に支持される。ドラムプーリ７ｂはドラムプーリ軸受け２５に回転可能に支持される。ドラム軸受け２４とドラムプーリ軸受け２５はドラム枠体１８の側板１８ａ，１８ｂにそれぞれビス１２８により取り付けられる。これによって感光体ドラム７が感光体ユニット２０に組み込まれる。
【手続補正５】
【補正対象書類名】明細書
【補正対象項目名】００３６
【補正方法】変更
【補正の内容】
【００３６】
揺動アーム５４は移動軸５７と反対側の端部が固定軸５６に回動可能（移動可能）に取り付けられている。移動軸５７とガイド部材３０Ｌに設けた軸４０ａ間には付勢部材としてのアーム加圧バネ５５が張設されている。このアーム加圧バネ５５は固定軸５６の中心と軸４０ａの中心を結んだ仮想線Ｌより上にある。よってアーム加圧バネ５５は揺動アーム５４を転写ローラプーリ６０から離間させる矢印ｈ方向に加圧している。アーム加圧バネ５５によって加圧された揺動アーム５４はガイド部材３０Ｌに設けたストッパ（不図示）に係止されてガイド部３０Ｌａの上方で停止している。このとき、揺動アーム５４とガイド部３０Ｌａ間の間隔Ｓ１はカートリッジＢの円筒形ガイド２５ａの直径Ｄ１（図５）よりも大きい（Ｓ１＞Ｄ１）。これにより円筒形ガイド２５ａをガイド部３０Ｌａに沿って揺動アーム５４に接触させることなく本体位置決め部である位置決め溝３０Ｌｂまで案内することができる。また、移動プーリ５２も仮想線Ｌより上にある。このため駆動伝達ベルト５０は移動プーリ５２と転写ローラプーリ６０間でガイド部Ｌａと交差している。これにより、円筒形ガイド２５ａをガイド部３０Ｌａに沿って位置決め溝３０Ｌｂまで案内する際に、ドラムプーリ７ｂを移動プーリ５２と転写ローラプーリ６０間で駆動伝達ベルト５０に当接させることができる。揺動アーム５４にはガイド部３０Ｌａと対向する下面に位置規制部としての位置決め部５４ａが設けられている。この位置決め部５４ａは移動プーリ５２の移動量を規制するためのものであり、円筒形ガイド２５ａの外形と嵌り合う円弧状に形成してある。
【手続補正６】
【補正対象書類名】図面
【補正対象項目名】図１
【補正方法】変更
【補正の内容】
【図１】
2006106609.tif 000001